(57)【要約】【課題】下方よりスピーカを押し上げる力が加わり、スピーカが上方に押し上げられても、不用意にスピーカが落下し、けがをしたり,スピーカが破損する。【解決手段】上部が逆Ｕ字形状４ａ、下部に水平ストッパー部４ｂを有し、溝幅が前記ネジ首部２ｂの径より大きく、ネジ頭部２ａの径より小さい第一の垂直溝４と、前記第一の垂直溝４と平行に、かつ下方に配置し、下部には前記ネジ頭部径２ａより大きなネジ頭部挿入口６を連結し、溝幅が前記ネジ首部２ｂの径より大きく、ネジ頭部部２ａの径より小さい第二の垂直溝５と、前記第一の垂直溝４の下部の端部４ｃを起点とし、前記第二の垂直溝５の上部に溝幅が前記ネジ首部２ｂの径より大きく、ネジ頭部部２ａの径より小さい傾斜溝７で連結したことを特徴とするスピーカボックス壁掛け装置。【選択図】図１
2005039497.tif 000002
【特許請求の範囲】
【請求項１】
壁面に取り付けられたネジに、スピーカボックス背面に設けられた貫通溝を取り付けるスピーカボックス壁掛け装置において、上部が逆Ｕ字形状、下部に水平ストッパー部を有し、溝幅が前記ネジ首部の径より大きく、ネジ頭部の径より小さい第一の垂直溝と、前記第一の垂直溝と平行に、かつ下方に配置し、下部には前記ネジ頭部径より大きなネジ頭部挿入口を連結し、溝幅が前記ネジ首部の径より大きく、ネジ頭部部の径より小さい第二の垂直溝と、前記第一の垂直溝の下部の端部を起点とし、前記第二の垂直溝の上部に溝幅が前記ネジ首部の径より大きく、ネジ頭部部の径より小さい傾斜溝で連結したことを特徴とするスピーカボックス壁掛け装置。
【請求項２】
前記ネジ頭部挿入口と第二の垂直溝との連結部分の両側に、ガイドリブを設けたことを特徴とする請求項１記載のスピーカボックス壁掛け装置。
【請求項３】
前記第一の垂直溝と前記第二の垂直溝と前記ネジ頭部挿入口と前記傾斜溝を囲むように、前記スピーカボックス背面の内側に一面が開放された箱形状を結合したことを特徴とする請求項１、または請求項２記載のスピーカボックス壁掛け装置。
【発明の詳細な説明】
【技術分野】
【０００１】
本発明は、オーデイオ製品のスピーカボックスを壁面に取り付けるための壁掛け装置に関するものである。
【背景技術】
【０００２】
従来、スピーカボックスの壁掛け装置の不用意落下防止には、“水平方向の径が取り付けビスの頭部径より大きい第一の開口部と、この第一の開口部の上部に連設され、水平方向の径が取り付けビスの頭部径より小さくかつ取り付けネジ部径より大きい第二の開口部とからなるものを採用してきた（例えば、特許文献１参照。）。図５は従来の壁掛け装置の正面図を示すものである。
【特許文献１】特開２０００−９１１６号公報
【発明の開示】
【発明が解決しようとする課題】
【０００３】
このようなスピーカの壁掛け装置においては、下方よりスピーカを押し上げる力が加わり、スピーカが上方に押し上げられ第一の開口部に取り付けネジがきた時に,容易に落下し、けがをしたり、スピーカの破損するなどの問題点を有している。
【０００４】
本発明は、下方よりスピーカを押し上げる力が加わり、スピーカが上方に押し上げられても、不用意にスピーカが落下し、けがをしたり,スピーカが破損することのない安全で、かつ取り外しが容易なスピーカ壁掛け装置を、提供することを目的としてなされたものである。
【課題を解決するための手段】
【０００５】
この課題を解決するために本発明の請求項１に記載のスピーカボックス壁掛け装置は、
壁面に取り付けられたネジに、スピーカボックス背面に設けられた貫通溝を取り付けるスピーカボックス壁掛け装置において、上部が逆Ｕ字形状、下部に水平ストッパー部を有し、溝幅がネジ首部の径より大きく、ネジ頭部の径より小さい第一の垂直溝と、前記第一の垂直溝と平行に、かつ下方に配置し、下部にはネジ頭部径より大きなネジ頭部挿入口を連結し、溝幅がネジ首部の径より大きく、ネジ頭部の径より小さい第二の垂直溝と、第一の垂直溝の下部の端部を起点とし、第二の垂直溝の上部に溝幅がネジ首部の径より大きく、ネジ頭部の径より小さい傾斜溝で連結したことを特徴とするスピーカボックス壁掛け装置としたものであり、下方よりスピーカを押し上げる力が加わり、スピーカが上方に押し上げられても、不用意にスピーカが落下し、けがをしたり,スピーカが破損することのない安全で、かつ取り外しが容易なスピーカ壁掛け装置を、提供するという作用を有する。
【０００６】
また、請求項２に記載の発明は、ネジ頭部挿入口と第二の垂直溝との連結部分の両側に、傾斜リブを設けたことを特徴とする請求項１記載のスピーカボックス壁掛け装置としたものであり、壁掛け時に壁面に取り付けられたネジ首部を自動的に第一の垂直溝の上部の逆Ｕ字形状にガイドするという作用を有する。
【０００７】
さらに、請求項３に記載の発明は、第一の垂直溝と第二の垂直溝とネジ頭部挿入口と傾斜溝を囲むように、スピーカボックス背面の内側に一面が開放された箱形状を結合したことを特徴とする請求項１または２記載のスピーカボックス壁掛け装置としたものであり、スピーカボックス内部を外部から独立させ、空気の流通を遮断するという作用を有する。
【発明の効果】
【０００８】
以上のように本発明によれば、下方よりスピーカを押し上げる力が加わり、スピーカが上方に押し上げられても、不用意にスピーカが落下し、けがをしたり,スピーカが破損することのない安全で、かつ取り外しが容易なスピーカ壁掛け装置を提供することができることとなる。
【０００９】
また、ネジ頭部挿入口に挿入された壁面に取り付けられたネジ首部は、ガイドリブで第二の垂直溝に導かれ、傾斜溝、第一の垂直溝を通り、逆Ｕ字形状部まで、自動的に誘導され壁掛けが完了させることができる。
【００１０】
また、第一の垂直溝と第二の垂直溝とネジ頭部挿入口と傾斜溝を囲むように、スピーカボックス背面の内側に一面が開放された箱形状を結合したという構成により、スピーカボックス内部を外部から独立させ、空気の流通を遮断し高音質を実現できるという有利な効果が得られる。
【発明を実施するための最良の形態】
【００１１】
以下本発明の実施の形態について、図１から図４を用いて説明する。
【００１２】
（実施の形態１）
図１は壁面に取り付けられたネジに断面図を示し、図１において、１は壁面、２は壁面に取り付けられたネジ、２Ａはネジ頭部、２ｂはネジ首部である。図２は本発明の実施の形態１におけるスピーカボックス壁掛け装置の正面図を示し、図２において、３はスピーカボックス背面、４はスピーカボックス背面に設けられた上部が逆Ｕ字形状４Ａ、下部に水平ストッパー部４ｂを有する溝幅がネジ首部２ｂの径より大きく、ネジ頭部２Ａの径より小さい第一の垂直溝、
５は第一の垂直溝４と平行に、かつ下方に配置し、下部にはネジ頭部径２Ａより大きなネジ頭部挿入口６を連結し、溝幅がネジ首部２ｂの径より大きく、ネジ頭部２Ａの径より小さい第二の垂直溝、７は第一の垂直溝４の下部の端部４ｃを起点とし、第二の垂直溝５の上部に溝幅がネジ首部２ｂの径より大きく、ネジ頭部２Ａの径より小さい連結用傾斜溝という構成をしている。
【００１３】
以上のように構成されたスピーカボックス壁掛け装置について、以下その動作について説明する。まず、ネジ頭部径２Ａより大きなネジ頭部挿入口６に壁面に取り付けられたネジ頭部２Ａを挿入し、第二の垂直溝５にガイドすることにより自動的に、ネジ首部２ｂは第一の溝の上部の逆Ｕ字形状４Ａにガイドされ、スピーカボックスは壁掛けを完了する。この状態で、下方よりスピーカを押し上げる力が加わり、スピーカが上方に押し上げられても、スピーカは水平ストッパー部４ｂの位置で止まり、不用意にスピーカが落下しない。また、水平方向にわずか移動することにより容易に取り外しが可能になる。
【００１４】
以上のように本実施形態によれば、下方よりスピーカを押し上げる力が加わり、スピーカが上方に押し上げられても、不用意にスピーカが落下し、けがをしたり,スピーカが破損することのない安全で、かつ取り外しが容易なスピーカ壁掛け装置を提供することができることとなる。
【００１５】
（実施の形態２）
次に、図３は実施の形態２の正面図を示し、図３において、６Ａ，６ｂはネジ頭部挿入口６と第二の垂直溝５との連結部分の両側に、ガイドリブを設けたという構成である。
【００１６】
以上のように構成されたスピーカボックス壁掛け装置について、以下その動作について説明する。ネジ頭部挿入口６に挿入された壁面１に取り付けられたネジ首部２ｂは、ガイドリブ６Ａ，６ｂで第二の垂直溝５に導かれ、傾斜溝７、第一の垂直溝４を通り逆Ｕ字形状部４Ａまで、自動的に誘導され壁掛けが完了する。
【００１７】
以上のように本実施形態によれば、壁掛け作業をより容易に完了させることができる。また下方よりスピーカを押し上げる力が加わり、スピーカが上方に押し上げられても、不用意にスピーカが落下し、けがをしたり,スピーカが破損することのない安全で、かつ取り外しが容易なスピーカ壁掛け装置を提供することができることとなる。
【００１８】
（実施の形態３）
また、図４は実施の形態３の正面図とその断面図を示し、図４において、第一の垂直溝４と第二の垂直溝５とネジ頭部挿入口６と傾斜溝７を囲むように、スピーカボックス背面３の内側に一面が開放された箱形状８を結合したという構成である。
【００１９】
以上のように構成されたスピーカボックス壁掛け装置について、以下その動作について説明する。スピーカボックス背面３の内側に一面が開放された箱形状８を結合することにより、スピーカボックス内部を外部から独立させ、空気の流通を遮断するという作用を有する。
【００２０】
以上のように本実施形態によれば、スピーカボックス内部を外部から独立させ、空気の流通を遮断し高音質を実現すると同時に、壁掛け作業をより容易に完了させることができる。また下方よりスピーカを押し上げる力が加わり、スピーカが上方に押し上げられても、不用意にスピーカが落下し、けがをしたり,スピーカが破損することのない安全で、かつ取り外しが容易なスピーカ壁掛け装置を提供することができることとなる。
【図面の簡単な説明】
【００２１】
【図１】壁面に取り付けられたネジの断面図
【図２】本発明の実施の形態１によるスピーカボックス壁掛け装置の正面図と断面図
【図３】本発明の実施の形態２によるスピーカボックス壁掛け装置の正面図と断面図
【図４】本発明の実施の形態３によるスピーカボックス壁掛け装置の正面図と断面図
【図５】従来のスピーカボックス壁掛け装置の正面図
【符号の説明】
【００２２】
１    壁面
２    ネジ
２Ａ    ネジ頭部
２ｂ    ネジ首部
３    スピーカボックス背面
４    第一の垂直溝
４Ａ    逆Ｕ字形状
４ｂ    水平ストッパー部
４ｃ    端部
５    第二の垂直溝
６    ネジ頭部挿入口
６ａ，ｂ    ガイドリブ
７    傾斜溝
８    箱形状
【図１】
2005039497.tif 000003
【図２】
2005039497.tif 000004
【図３】
2005039497.tif 000005
【図４】
2005039497.tif 000006
【図５】
2005039497.tif 000007